(57)【要約】【課題】最適化アルゴリズムを用いてアンテナウェイト及び等化ウェイトを適切に算出することが可能な受信装置を提供する。【解決手段】本発明に係る受信装置１０のウェイト算出部１４０は、アンテナウェイト処理部１４０Ａ及び等化ウェイト処理部１４０Ｂを備える。アンテナウェイト処理部１４０Ａは、アンテナウェイトｗ*1〜ｗ*Rの初期値をアンテナ重み付け部１１５に設定する。等化ウェイト処理部１４０Ｂは、初期値がアンテナ重み付け部１１５において保持された状態で、最適化アルゴリズムを用いて等化ウェイトｃ*0〜ｃ*Mを算出する。アンテナウェイト処理部１４０Ａは、算出された等化ウェイトｃ*0〜ｃ*Mがフィードフォワード部１２０Ａにおいて保持された状態で、最適化アルゴリズムを用いてアンテナウェイトｗ*1〜ｗ*Rを算出する。【選択図】図２
2009135712.tif 000002
【特許請求の範囲】
【請求項１】
複数のアンテナ素子を有するアレイアンテナと、
前記アレイアンテナが受信した受信信号を重み付けするアンテナ重み付け部と、
前記アンテナ重み付け部によって重み付けされた受信信号を等化する適応等化器と、
前記適応等化器の出力信号と、予め定められた参照信号との誤差に応じて、前記アンテナ重み付け部に設定されるアンテナウェイトと、前記適応等化器に設定される等化ウェイトとを算出するウェイト算出部と
を備える受信装置であって、
前記ウェイト算出部は、
前記アンテナウェイトの初期値を前記アンテナ重み付け部に設定する初期値設定部と、
前記初期値が前記アンテナ重み付け部において保持された状態で、前記誤差を最小化する最適化アルゴリズムを用いて前記等化ウェイトを算出する第１等化ウェイト算出部と、
前記第１等化ウェイト算出部によって算出された前記等化ウェイトが前記適応等化器において保持された状態で、前記最適化アルゴリズムを用いて前記アンテナウェイトを算出するアンテナウェイト算出部と、
前記アンテナウェイト算出部によって算出された前記アンテナウェイトが前記アンテナ重み付け部において保持された状態で、前記最適化アルゴリズムを用いて前記等化ウェイトを算出する第２等化ウェイト算出部と
を備える受信装置。
【請求項２】
前記アンテナウェイト算出部は、前記第２等化ウェイト算出部によって算出された前記等化ウェイトが前記適応等化器において保持された状態で、前記最適化アルゴリズムを用いて前記アンテナウェイトを算出し、
前記第２等化ウェイト算出部は、所定回数に達するまで、前記等化ウェイトを繰り返し算出し、
前記アンテナウェイト算出部は、所定回数に達するまで、前記アンテナウェイトを繰り返し算出する請求項１に記載の受信装置。
【請求項３】
前記誤差を閾値と比較する閾値比較部と、
前記誤差が前記閾値を下回った場合、前記ウェイト算出部における前記アンテナウェイトの算出、及び前記ウェイト算出部における前記等化ウェイトの算出を停止させる算出停止部と
をさらに備える請求項１に記載の受信装置。
【請求項４】
前記アンテナウェイトが前記アンテナ重み付け部に設定されたことによって前記誤差が低下した第１誤差低下量を検出する第１検出部と、
前記等化ウェイトが前記適応等化器に設定されたことよって前記誤差が低下した第２誤差低下量を検出する第２検出部と、
前記第１誤差低下量又は前記第２誤差低下量が所定量を下回った場合、前記ウェイト算出部における前記アンテナウェイトの算出、及び前記ウェイト算出部における前記等化ウェイトの算出を停止させる算出停止部と
をさらに備える請求項１に記載の受信装置。
【請求項５】
前記初期値の設定前において、前記アンテナウェイトを構成する複数のウェイト値のいずれか１つ、又は前記等化ウェイトを構成する複数のウェイト値のいずれか１つを固定値に設定する固定値設定部を更に備える請求項１に記載の受信装置。
【請求項６】
前記初期値設定部は、前記アンテナ重み付け部の出力信号が前記適応等化器をそのまま通過する状態で、前記最適化アルゴリズムを用いて前記アンテナウェイトの前記初期値を算出し、算出した前記初期値を前記アンテナ重み付け部に設定する請求項１に記載の受信装置。
【請求項７】
複数のアンテナ素子を有するアレイアンテナと、
前記アレイアンテナが受信した受信信号を重み付けするアンテナ重み付け部と、
前記アンテナ重み付け部によって重み付けされた受信信号を等化する適応等化器と、
前記適応等化器の出力信号と、予め定められた参照信号との誤差に応じて、前記アンテナ重み付け部に設定されるアンテナウェイトと、前記適応等化器に設定される等化ウェイトとを算出するウェイト算出部と
を備える受信装置であって、
前記ウェイト算出部は、
前記等化ウェイトの初期値を前記適応等化器に設定する初期値設定部と、
前記初期値が前記適応等化器において保持された状態で、前記誤差を最小化する最適化アルゴリズムを用いて前記アンテナウェイトを算出する第１アンテナウェイト算出部と、
前記第１アンテナウェイト算出部によって算出された前記アンテナウェイトが前記アンテナ重み付け部において保持された状態で、前記最適化アルゴリズムを用いて前記等化ウェイトを算出する等化ウェイト算出部と、
前記等化ウェイト算出部によって算出された前記等化ウェイトが前記適応等化器において保持された状態で、前記最適化アルゴリズムを用いて前記アンテナウェイトを算出する第２アンテナウェイト算出部と
を備える受信装置。
【請求項８】
請求項１〜７のいずれかの受信装置を備える無線基地局。
【請求項９】
複数のアンテナ素子を有するアレイアンテナと、
前記アレイアンテナが受信した受信信号を重み付けするアンテナ重み付け部と、
前記アンテナ重み付け部によって重み付けされた受信信号を等化する適応等化器と、
前記適応等化器の出力信号と、予め定められた参照信号との誤差に応じて、前記アンテナ重み付け部に設定されるアンテナウェイトと、前記適応等化器に設定される等化ウェイトとを算出するウェイト算出部と
を用いた受信方法であって、
前記ウェイト算出部が、
前記アンテナウェイトの初期値を前記アンテナ重み付け部に設定する初期値設定ステップと、
前記初期値が前記アンテナ重み付け部において保持された状態で、前記誤差を最小化する最適化アルゴリズムを用いて前記等化ウェイトを算出する第１算出ステップと、
前記第１算出ステップによって算出された前記等化ウェイトが前記適応等化器において保持された状態で、前記最適化アルゴリズムを用いて前記アンテナウェイトを算出する第２算出ステップと、
前記第２算出ステップによって算出された前記アンテナウェイトが前記アンテナ重み付け部において保持された状態で、前記最適化アルゴリズムを用いて前記等化ウェイトを算出する第３算出ステップと
を備える受信方法。
【請求項１０】
複数のアンテナ素子を有するアレイアンテナと、
前記アレイアンテナが受信した受信信号を重み付けするアンテナ重み付け部と、
前記アンテナ重み付け部によって重み付けされた受信信号を等化する適応等化器と、
前記適応等化器の出力信号と、予め定められた参照信号との誤差に応じて、前記アンテナ重み付け部に設定されるアンテナウェイトと、前記適応等化器に設定される等化ウェイトとを算出するウェイト算出部と
を用いた受信方法であって、
前記ウェイト算出部が、
前記等化ウェイトの初期値を前記適応等化器に設定する初期値設定ステップと、
前記初期値が前記適応等化器において保持された状態で、前記誤差を最小化する最適化アルゴリズムを用いて前記アンテナウェイトを算出する第１算出ステップと、
前記第１算出ステップによって算出された前記アンテナウェイトが前記アンテナ重み付け部において保持された状態で、前記最適化アルゴリズムを用いて前記等化ウェイトを算出する第２算出ステップと、
前記第２算出ステップによって算出された前記等化ウェイトが前記適応等化器において保持された状態で、前記最適化アルゴリズムを用いて前記アンテナウェイトを算出する第３算出ステップと
を備える受信方法。
【発明の詳細な説明】
【技術分野】
【０００１】
本発明は、アダプティブアレイアンテナ及び適応等化器を用いた受信装置、無線基地局及び受信方法に関する。
【背景技術】
【０００２】
近年、無線通信システムにおいて受信品質を改善するために、アダプティブアレイアンテナ及び適応等化器を用いた受信装置が用いられている。
【０００３】
アダプティブアレイアンテナは、所望波に対するアンテナ利得を増加させるとともに、干渉波に対するアンテナ利得を落ち込ませることができる。具体的には、アダプティブアレイアンテナは、複数のアンテナ素子からなるアレイアンテナと、アレイアンテナが受信した受信信号をアンテナウェイトによって重み付けするアンテナ重み付け部とを有する。
【０００４】
適応等化器は、所望波において先に受信される先行波と、後に受信される遅延波とを位相を揃えて合成することによって、マルチパス伝搬環境によって歪んだ信号を補正（等化）することができる。具体的には、適応等化器は、受信信号を複数回遅延させるとともに、遅延させた各受信信号を等化ウェイトによって重み付けする。
【０００５】
また、上述したアダプティブアレイアンテナの出力に適応等化器を直列接続した構成の受信装置が知られている（例えば、特許文献１参照）。特許文献１に記載の受信装置は、最適化アルゴリズムによってアンテナウェイト及び等化ウェイトを一括して算出するウェイト算出部を備える。
【０００６】
特許文献１に記載のウェイト算出部は、ウェイト算出部は、適応等化器の出力信号と予め定められた参照信号との平均二乗誤差を最小化するＬＭＳやＲＬＳなどの最適化アルゴリズムを用いて、アンテナウェイト及び等化ウェイトを一括して算出する。
【特許文献１】特開２００２−２６１６６９号公報（［００１３］−［００４０］段落、第１図）
【発明の開示】
【発明が解決しようとする課題】
【０００７】
ところで、アダプティブアレイアンテナの出力に適応等化器を直列接続する構成では、適応等化器に入力される受信信号の状態は、アンテナ重み付け部に設定されるアンテナウェイトに応じて変化する。
【０００８】
すなわち、最適化アルゴリズムによって等化ウェイトを算出するためには、アンテナウェイトが先に決定され、適応等化器に入力される受信信号の状態が変化しないことが必要である。同様に、最適化アルゴリズムによってアンテナウェイトを算出するためには、等化ウェイトが先に決定され、適応等化器の特性が変化しないことが必要である。
【０００９】
しかしながら、特許文献１の手法では、ウェイト算出部は、アンテナウェイト及び等化ウェイトを一括して算出するので、アンテナウェイト及び等化ウェイトが収束せず、アンテナウェイト及び等化ウェイトを適切に算出できない恐れがある。
【００１０】
そこで、本発明は、上述した課題を解決するためになされたものであり、アダプティブアレイアンテナの出力に適応等化器を直列接続する構成でも、最適化アルゴリズムを用いてアンテナウェイト及び等化ウェイトを適切に算出することが可能な受信装置、無線基地局及び受信方法を提供することを目的とする。
【課題を解決するための手段】
【００１１】
本発明の第１の特徴は、複数のアンテナ素子（アンテナ素子ＡＮＴ１〜ＡＮＴＲ）を有するアレイアンテナ（アレイアンテナ１１１）と、前記アレイアンテナが受信した受信信号を重み付けするアンテナ重み付け部（アンテナ重み付け部１１５）と、前記アンテナ重み付け部によって重み付けされた受信信号を等化する適応等化器（フィードフォワード部１２０Ａ）と、前記適応等化器の出力信号（出力信号ｙ［ｋ］）と、予め定められた参照信号（参照信号ｄ［ｋ］）との誤差（誤差信号ｅ［ｋ］）に応じて、前記アンテナ重み付け部に設定されるアンテナウェイト（アンテナウェイトｗ*1〜ｗ*R（＊：複素共役））と、前記適応等化器に設定される等化ウェイト（等化ウェイトｃ*0〜ｃ*M（＊：複素共役））とを算出するウェイト算出部（ウェイト算出部１４０）とを備える受信装置（受信装置１０）であって、前記ウェイト算出部は、前記アンテナウェイトの初期値を前記アンテナ重み付け部に設定する初期値設定部（アンテナウェイト処理部１４０Ａ）と、前記初期値が前記アンテナ重み付け部において保持された状態で、前記誤差を最小化する最適化アルゴリズムを用いて前記等化ウェイトを算出する第１等化ウェイト算出部（等化ウェイト処理部１４０Ｂ）と、前記第１等化ウェイト算出部によって算出された前記等化ウェイトが前記適応等化器において保持された状態で、前記最適化アルゴリズムを用いて前記アンテナウェイトを算出するアンテナウェイト算出部（アンテナウェイト処理部１４０Ａ）と、前記アンテナウェイト算出部によって算出された前記アンテナウェイトが前記アンテナ重み付け部において保持された状態で、前記最適化アルゴリズムを用いて前記等化ウェイトを算出する第２等化ウェイト算出部（等化ウェイト処理部１４０Ｂ）とを備えることを要旨とする。
【００１２】
このような特徴によれば、ウェイト算出部は、アンテナウェイト及び等化ウェイトを一括して算出するのではなく、アンテナウェイト及び等化ウェイトを交互に算出する。すなわち、等化ウェイトの算出時にはアンテナウェイトが変化せず、アンテナウェイトの算出時には等化ウェイトが変化しないようにすることができる。したがって、アダプティブアレイアンテナの出力に適応等化器を直列接続する構成でも、最適化アルゴリズムを用いてアンテナウェイト及び等化ウェイトを適切に算出することが可能な受信装置を提供することができる。
【００１３】
本発明の第２の特徴は、本発明の第１の特徴に係り、前記アンテナウェイト算出部は、前記第２等化ウェイト算出部によって算出された前記等化ウェイトが前記適応等化器において保持された状態で、前記最適化アルゴリズムを用いて前記アンテナウェイトを算出し、前記第２等化ウェイト算出部は、所定回数（所要繰り返し回数ｌｍａｘ）に達するまで、前記等化ウェイトを繰り返し算出し、前記アンテナウェイト算出部は、所定回数（所要繰り返し回数ｌｍａｘ）に達するまで、前記アンテナウェイトを繰り返し算出することを要旨とする。
【００１４】
本発明の第３の特徴は、本発明の第１の特徴に係り、前記誤差を閾値と比較する閾値比較部（終了条件判定部１４０Ｃ）と、前記誤差が前記閾値を下回った場合、前記ウェイト算出部における前記アンテナウェイトの算出、及び前記ウェイト算出部における前記等化ウェイトの算出を停止させる算出停止部（終了条件判定部１４０Ｃ）とをさらに備えることを要旨とする。
【００１５】
本発明の第４の特徴は、本発明の第１の特徴に係り、前記アンテナウェイトが前記アンテナ重み付け部に設定されたことによって前記誤差が低下した第１誤差低下量を検出する第１検出部（終了条件判定部１４０Ｃ）と、前記等化ウェイトが前記適応等化器に設定されたことよって前記誤差が低下した第２誤差低下量を検出する第２検出部（終了条件判定部１４０Ｃ）と、前記第１誤差低下量又は前記第２誤差低下量が所定量を下回った場合、前記ウェイト算出部における前記アンテナウェイトの算出、及び前記ウェイト算出部における前記等化ウェイトの算出を停止させる算出停止部（終了条件判定部１４０Ｃ）とをさらに備えることを要旨とする。
【００１６】
本発明の第５の特徴は、本発明の第１の特徴に係り、前記初期値の設定前において、前記アンテナウェイトを構成する複数のウェイト値のいずれか１つ（ウェイト値ｗ*B（＊：複素共役））、又は前記等化ウェイトを構成する複数のウェイト値のいずれか１つ（ウェイト値ｃ*B（＊：複素共役））を固定値（固定値Ｃ*C又はＣ*W（＊：複素共役））に設定する固定値設定部（アンテナウェイト処理部１４０Ａ又は等化ウェイト処理部１４０Ｂ）を更に備えることを要旨とする。
【００１７】
本発明の第６の特徴は、本発明の第１の特徴に係り、前記初期値設定部は、前記アンテナ重み付け部の出力信号が前記適応等化器をそのまま通過する状態で、前記最適化アルゴリズムを用いて前記アンテナウェイトの前記初期値を算出し、算出した前記初期値を前記アンテナ重み付け部に設定することを要旨とする。
【００１８】
本発明の第７の特徴は、複数のアンテナ素子を有するアレイアンテナと、前記アレイアンテナが受信した受信信号を重み付けするアンテナ重み付け部と、前記アンテナ重み付け部によって重み付けされた受信信号を等化する適応等化器と、前記適応等化器の出力信号と、予め定められた参照信号との誤差に応じて、前記アンテナ重み付け部に設定されるアンテナウェイトと、前記適応等化器に設定される等化ウェイトとを算出するウェイト算出部とを備える受信装置であって、前記ウェイト算出部は、前記等化ウェイトの初期値を前記適応等化器に設定する初期値設定部（等化ウェイト処理部１４０Ｂ）と、前記初期値が前記適応等化器において保持された状態で、前記誤差を最小化する最適化アルゴリズムを用いて前記アンテナウェイトを算出する第１アンテナウェイト算出部（アンテナウェイト処理部１４０Ａ）と、前記第１アンテナウェイト算出部によって算出された前記アンテナウェイトが前記アンテナ重み付け部において保持された状態で、前記最適化アルゴリズムを用いて前記等化ウェイトを算出する等化ウェイト算出部（等化ウェイト処理部１４０Ｂ）と、前記等化ウェイト算出部によって算出された前記等化ウェイトが前記適応等化器において保持された状態で、前記最適化アルゴリズムを用いて前記アンテナウェイトを算出する第２アンテナウェイト算出部（アンテナウェイト処理部１４０Ａ）とを備えることを要旨とする。
【００１９】
本発明の第８の特徴は、本発明の第１〜第７のいずれかの特徴に係る受信装置を備える無線基地局（無線基地局１００）であることを要旨とする。
【００２０】
本発明の第９の特徴は、複数のアンテナ素子を有するアレイアンテナと、前記アレイアンテナが受信した受信信号を重み付けするアンテナ重み付け部と、前記アンテナ重み付け部によって重み付けされた受信信号を等化する適応等化器と、前記適応等化器の出力信号と、予め定められた参照信号との誤差に応じて、前記アンテナ重み付け部に設定されるアンテナウェイトと、前記適応等化器に設定される等化ウェイトとを算出するウェイト算出部とを用いた受信方法であって、前記ウェイト算出部が、前記アンテナウェイトの初期値を前記アンテナ重み付け部に設定する初期値設定ステップ（ステップＳ２０２）と、前記初期値が前記アンテナ重み付け部において保持された状態で、前記誤差を最小化する最適化アルゴリズムを用いて前記等化ウェイトを算出する第１算出ステップ（ステップＳ２０４）と、前記第１算出ステップによって算出された前記等化ウェイトが前記適応等化器において保持された状態で、前記最適化アルゴリズムを用いて前記アンテナウェイトを算出する第２算出ステップ（ステップＳ２０５）と、前記第２算出ステップによって算出された前記アンテナウェイトが前記アンテナ重み付け部において保持された状態で、前記最適化アルゴリズムを用いて前記等化ウェイトを算出する第３算出ステップ（ステップＳ２０４）とを備えることを要旨とする。
【００２１】
本発明の第１０の特徴は、複数のアンテナ素子を有するアレイアンテナと、前記アレイアンテナが受信した受信信号を重み付けするアンテナ重み付け部と、前記アンテナ重み付け部によって重み付けされた受信信号を等化する適応等化器と、前記適応等化器の出力信号と、予め定められた参照信号との誤差に応じて、前記アンテナ重み付け部に設定されるアンテナウェイトと、前記適応等化器に設定される等化ウェイトとを算出するウェイト算出部とを用いた受信方法であって、前記ウェイト算出部が、前記等化ウェイトの初期値を前記適応等化器に設定する初期値設定ステップ（ステップＳ１０２）と、前記初期値が前記適応等化器において保持された状態で、前記誤差を最小化する最適化アルゴリズムを用いて前記アンテナウェイトを算出する第１算出ステップ（ステップＳ１０４）と、前記第１算出ステップによって算出された前記アンテナウェイトが前記アンテナ重み付け部において保持された状態で、前記最適化アルゴリズムを用いて前記等化ウェイトを算出する第２算出ステップ（ステップＳ１０５）と、前記第２算出ステップによって算出された前記等化ウェイトが前記適応等化器において保持された状態で、前記最適化アルゴリズムを用いて前記アンテナウェイトを算出する第３算出ステップ（ステップＳ１０４）とを備えることを要旨とする。
【発明の効果】
【００２２】
本発明によれば、アダプティブアレイアンテナの出力に適応等化器を直列接続する構成でも、最適化アルゴリズムを用いてアンテナウェイト及び等化ウェイトを適切に算出することが可能な受信装置、無線基地局及び受信方法を提供することができる。
【発明を実施するための最良の形態】
【００２３】
次に、図面を参照して、本発明の実施形態を説明する。以下の実施形態における図面の記載において、同一又は類似の部分には同一又は類似の符号を付している。
【００２４】
以下においては、（１）無線通信システムの概略構成、（２）無線基地局の構成、（３）受信装置の概略動作、（４）ウェイト算出アルゴリズム、（５）作用及び効果、（６）その他の実施形態について説明する。
【００２５】
（１）無線通信システムの概略構成
まず、図１を用いて、本実施形態に係る無線基地局１００が適用される無線通信システムの概略構成について説明する。図１に示す無線通信システムは、無線基地局１００、無線基地局３００、無線通信端末２００、及び無線通信端末２１０を有する。
【００２６】
無線基地局１００及び無線通信端末２００は、ＩＥＥＥ８０２．１６ｅ（ＷｉＭＡＸ（登録商標））又はｉＢｕｒｓｔ（登録商標）に基づく無線通信を実行する（ｉＢｕｒｓｔについては、“High Capacity-Spatial Division Multiple Access (HC-SDMA)”，WTSC − 2005 - 032，ＡＴＩＳ／ＡＮＳＩを参照）。
【００２７】
一方で、無線基地局３００及び無線通信端末２１０は、無線基地局１００及び無線通信端末２００とは異なる又は同じ無線通信方式に準拠している。無線基地局３００及び無線通信端末２１０からも無線信号が放射されるので、無線基地局１００は、無線通信端末２００からの所望波だけでなく、無線基地局３００及び無線通信端末２１０からの干渉波をも受信することになる。
【００２８】
無線基地局１００は、アレイアンテナ１１１を備え、アレイアンテナ１１１を用いたアダプティブアレイ制御を行う。具体的には、無線基地局１００は、無線通信端末２００の方向にアレイアンテナ１１１の指向性を向けて無線通信端末２００と通信することによって、無線通信端末２００からの所望波に対するアンテナ利得を増加させる。
【００２９】
また、無線基地局１００は、無線通信端末２１０及び無線基地局３００の方向に、アレイアンテナ１１１の指向性が落ち込むようにヌル点を向けることによって、無線通信端末２１０及び無線基地局３００からの干渉波に対するアンテナ利得を落ち込ませる。
【００３０】
無線通信端末２００が送信する無線信号は、無線基地局１００に直接到達するパスＰ１と、ビルＢなどによる反射後に無線基地局１００に到達するパスＰ２を介して、無線基地局１００によって受信される。
【００３１】
すなわち、無線基地局１００がパスＰ１を介して受信した無線信号は先行波（直接波）となる。無線基地局１００がパスＰ２を介して受信した無線信号は遅延波となる。
【００３２】
遅延波の影響により、無線基地局１００が受信した受信信号に歪みが生じる。このため、無線基地局１００は、受信信号を適応的に等化することによって歪みを補正する。
【００３３】
無線通信端末２００によって送信される無線信号には、既知の信号系列（以下、既知信号）が含まれている。また、無線基地局１００には、既知信号と同等の信号系列である参照信号が記憶されている。
【００３４】
つまり、無線基地局１００は、既知信号と参照信号との誤差が最小化するように、アダプティブアレイ制御及び適応等化制御を実行することによって、無線通信環境に適合した通信を実現可能となる。
【００３５】
（２）無線基地局１００の構成
次に、図２を用いて、無線基地局１００に設けられる受信装置１０の構成について説明する。図２に示すように、受信装置１０は、アダプティブアレイアンテナ１１０、適応等化器１２０、減算器１３０、及びウェイト算出部１４０を有する。
【００３６】
アダプティブアレイアンテナ１１０は、アレイアンテナ１１１を用いたアダプティブアレイ制御を行う。適応等化器１２０は、受信信号を複数回遅延させるとともに、遅延させた各受信信号を重み付けする。
【００３７】
減算器１３０は、適応等化器１２０の出力信号ｙ［ｋ］と参照信号ｄ［ｋ］との誤差を示す誤差信号ｅ［ｋ］を算出する。ウェイト算出部１４０は、トレーニング期間（既知信号期間）において、誤差信号ｅ［ｋ］に応じてアンテナウェイト及び等化ウェイトを算出する。
【００３８】
（２．１）アダプティブアレイアンテナ１１０の構成
アダプティブアレイアンテナ１１０は、アレイアンテナ１１１及びアンテナ重み付け部１１５を有する。アレイアンテナ１１１は、アンテナ素子ＡＮＴ１〜ＡＮＴＲを有する。
【００３９】
アンテナ重み付け部１１５は、複素乗算器１１２１〜１１２Ｒ及び加算器１１３を有する。複素乗算器１１２１〜１１２Ｒは、アンテナ素子ＡＮＴ１〜ＡＮＴＲに対応して設けられ、アンテナ素子ＡＮＴ１〜ＡＮＴＲが受信した受信信号をアンテナウェイトｗ*1〜ｗ*Rによって重み付けする。
【００４０】
アンテナウェイトｗ*1〜ｗ*Rが乗算されることにより、アンテナ素子ＡＮＴ１〜ＡＮＴＲが受信した受信信号の振幅及び位相が制御される。加算器１１３は、複素乗算器１１２１〜１１２Ｒによって重み付けされた受信信号を合成する。
【００４１】
（２．２）適応等化器１２０の構成
適応等化器１２０は、フィードフォワード部１２０Ａ、フィードバック部１２０Ｂ、遅延素子１２４，１２６、及び加算器１２５を有する。なお、図示を省略する判定器が、適応等化器１２０の出力信号ｙ［ｋ］に対してシンボル判定を行う。
【００４２】
フィードフォワード部１２０Ａは、受信信号の先行波成分と遅延波成分とを位相を揃える機能を有する。フィードバック部１２０Ｂは、判定器によって得られた判定シンボルをフィードバックする判定帰還型等化器（ＤＦＥ）として機能する。フィードバック部１２０Ｂには、トレーニング期間において参照信号ｄ［ｋ］が入力される。
【００４３】
フィードフォワード部１２０Ａは、ＦＩＲ（Finite Impulse Response）フィルタとして構成され、アダプティブアレイアンテナ１１０の出力側に接続される。具体的には、フィードフォワード部１２０Ａは、遅延素子１２１１〜１２１Ｍ、複素乗算器１２２０〜１２２Ｍ、及び加算器１２３１〜１２３Ｍを有する。
【００４４】
遅延素子１２１１〜１２１Ｍは、直列に接続され、受信信号を遅延させる。複素乗算器１２２０〜１２２Ｍは、各遅延素子１２１１〜１２１Ｍからの出力信号に等化ウェイトｃ*0〜ｃ*Mを乗算する。等化ウェイトｃ*0〜ｃ*Mが乗算されることにより、遅延素子１２１１〜１２１Ｍからの各出力信号の振幅及び位相が制御される。加算器１２３１〜１２３Ｍは、複素乗算器１２２０〜１２２Ｍからの出力信号を合成する。
【００４５】
フィードバック部１２０Ｂは、遅延素子１２５１〜１２５Ｐ、複素乗算器１２６１〜１２６Ｐ、及び加算器１２７１〜１２７Ｐを有する。
【００４６】
遅延素子１２５１〜１２５Ｐは、直列に接続され、参照信号ｄ［ｋ］を遅延させる。複素乗算器１２６１〜１２６Ｐは、遅延素子１２５１〜１２５Ｐからの各出力信号にウェイトｇ*1〜ｇ*Ｐを乗算する。加算器１２７１〜１２７Ｐは、複素乗算器１２６１〜１２６Ｐからの出力信号を合成する。
【００４７】
加算器１２５は、フィードフォワード部１２０Ａの出力信号とフィードバック部１２０Ｂの出力信号とを合成する。加算器１２５の出力信号ｙ［ｋ］は、減算器１３０に入力される。減算器１３０は、参照信号ｄ［ｋ］と出力信号ｙ［ｋ］との誤差信号ｅ［ｋ］を生成する。
【００４８】
（２．３）ウェイト算出部１４０の構成
次に、ウェイト算出部１４０の構成について説明する。なお、以下においては、本発明に関連する点について主に説明する。
【００４９】
ウェイト算出部１４０は、アンテナウェイト処理部１４０Ａ、等化ウェイト処理部１４０Ｂ、及び終了条件判定部１４０Ｃを有する。
【００５０】
アンテナウェイト処理部１４０Ａは、主に次の（ａ１）〜（ａ３）を実行する。
【００５１】
（ａ１）アンテナウェイトｗ*1〜ｗ*Rのいずれかに固定値Ｃ*Wを設定する機能。
【００５２】
（ａ２）アンテナウェイトｗ*1〜ｗ*Rに初期値を設定する機能。
【００５３】
（ａ３）誤差信号ｅ［ｋ］に基づき、アンテナウェイトｗ*1〜ｗ*Rを最適化アルゴリズムによって算出する機能。本実施形態では、最適化アルゴリズムとして、最小二乗誤差（ＭＭＳＥ）規範が使用される。
【００５４】
等化ウェイト処理部１４０Ｂは、主に次の（ｂ１）〜（ｂ３）を実行する。
【００５５】
（ｂ１）等化ウェイトｃ*0〜ｃ*Mのいずれかに固定値Ｃ*Cを設定する機能。
【００５６】
（ｂ２）等化ウェイトｃ*0〜ｃ*Mに初期値を設定する機能。
【００５７】
（ｂ３）誤差信号ｅ［ｋ］に基づき、等化ウェイトｃ*0〜ｃ*Mを最適化アルゴリズムによって算出する機能。
【００５８】
終了条件判定部１４０Ｃは、アンテナウェイト処理部１４０Ａによるアンテナウェイトｗ*1〜ｗ*Rの繰り返し回数ｌ、及び等化ウェイト処理部１４０Ｂによる等化ウェイトｃ*0〜ｃ*Mの繰り返し回数ｌが、所要繰り返し回数ｌｍａｘに達したか否かを判定する。
【００５９】
繰り返し回数ｌが所要繰り返し回数ｌｍａｘに達した場合、終了条件判定部１４０Ｃは、アンテナウェイト処理部１４０Ａによるアンテナウェイトｗ*1〜ｗ*Rの算出、及び等化ウェイト処理部１４０Ｂによる等化ウェイトｃ*0〜ｃ*Mの算出を停止させる。
【００６０】
（２．４）初期値設定処理
次に、ウェイト算出部１４０によって実行される初期値設定処理について説明する。
【００６１】
（２．４．１）アンテナウェイトの初期値設定処理
最も単純なアンテナウェイトｗ*1〜ｗ*Rの初期値設定方法としては、アンテナウェイトｗ*1〜ｗ*Rを全て同一の値ｗr0に設定することが考えられる。
【００６２】
しかしながら、アンテナウェイトｗ*1〜ｗ*Rの初期値は、アンテナウェイトｗ*1〜ｗ*R及び等化ウェイトｃ*0〜ｃ*Mの最適化に要する時間に影響を与える。つまり、アンテナウェイトｗ*1〜ｗ*Rの初期値が適切に設定されれば、誤差信号ｅ［ｋ］を短時間で収束させることができる。
【００６３】
そこで、誤差信号ｅ［ｋ］を短時間で収束させるために、ウェイト算出部１４０は、次のような手法によりアンテナウェイトｗ*1〜ｗ*Rの初期値を算出する。
【００６４】
具体的には、アンテナウェイトｗ*1〜ｗ*Rの初期値算出時において、ウェイト算出部１４０は、アンテナ重み付け部１１５の出力信号が、フィードフォワード部１２０Ａをそのまま通過するように制御する。
【００６５】
すなわち、等化ウェイト処理部１４０Ｂは、フィードフォワード部１２０Ａの複素乗算器１２２０〜１２２Ｍのうち、複素乗算器１２２０に入力する等化ウェイトｃ*0を“１”とし、他の等化ウェイトｃ*1〜ｃ*Mを“０”に設定する。
【００６６】
複素乗算器１２２０に入力する等化ウェイトｃ*0を“１”とすることによって、遅延素子１２１１〜１２１Ｍを通過前の信号が、位相及び振幅が制御されることなく複素乗算器１２２０を通過する。また、他の等化ウェイトｃ*1〜ｃ*Mを“０”に設定することによって、遅延素子１２１１〜１２１Ｍを通過した信号が、複素乗算器１２２1〜１２２Ｍを通過しなくなる。
【００６７】
この結果、アンテナ重み付け部１１５の出力信号が、フィードフォワード部１２０Ａにおいて全く変化しない状態にすることができる。このような状態において、アンテナウェイト処理部１４０Ａは、最適化アルゴリズムを用いて、アンテナウェイトｗ*1〜ｗ*Rの初期値を算出する。
【００６８】
（２．４．２）等化ウェイトの初期値設定処理
最も単純な等化ウェイトｃ*0〜ｃ*Mの初期値設定方法としては、等化ウェイトｃ*0〜ｃ*Mを全て同一の値ｃm0に設定することが考えられる。
【００６９】
しかしながら、等化ウェイトｃ*0〜ｃ*Mの初期値は、アンテナウェイトｗ*1〜ｗ*R及び等化ウェイトｃ*0〜ｃ*Mの最適化に要する時間に影響を与える。つまり、等化ウェイトｃ*0〜ｃ*Mの初期値が適切に設定されれば、誤差信号ｅ［ｋ］を短時間で収束させることができる。
【００７０】
そこで、誤差信号ｅ［ｋ］を短時間で収束させるために、ウェイト算出部１４０は、次の（ａ）又は（ｂ）の手法により等化ウェイトｃ*0〜ｃ*Mの初期値を算出する。
【００７１】
（ａ）ウェイト算出部１４０は、（２．４．１）において説明した手法によりアンテナウェイトｗ*1〜ｗ*Rの初期値を算出する。そして、等化ウェイト処理部１４０Ｂは、算出されたアンテナウェイトｗ*1〜ｗ*Rの初期値がアンテナ重み付け部１１５に保持された状態で、最適化アルゴリズムを用いて等化ウェイトｃ*0〜ｃ*Mの初期値を算出する。
【００７２】
（ｂ）ウェイト算出部１４０は、アンテナウェイトｗ*1〜ｗ*Rのうち、いずれか１つを“１”とし、残りを全て“０”にする。これにより、アダプティブアレイアンテナ１１０を無指向性アンテナと見なすことができる。このような状態において、等化ウェイト処理部１４０Ｂは、最適化アルゴリズムを用いて、等化ウェイトｃ*0〜ｃ*Mの初期値を算出する。
【００７３】
（３）受信装置１０の概略動作
次に、図３及び図４を参照して、受信装置１０の概略動作について説明する。具体的には、受信装置１０の動作パターン１及び動作パターン２について説明する。
【００７４】
（３．１）受信装置１０の動作パターン１
図３は、受信装置１０の動作パターン１を示すフローチャートである。
【００７５】
ステップＳ１０１において、アンテナウェイト処理部１４０Ａ又は等化ウェイト処理部１４０Ｂは、アンテナウェイトｗ*1〜ｗ*Rのいずれか１つ、又は等化ウェイトｃ*0〜ｃ*Mのいずれか１つに固定値を設定する。なお、当該固定値は、ステップＳ１０１以降において更新されないことに留意すべきである。
【００７６】
ステップＳ１０２において、等化ウェイト処理部１４０Ｂは、等化ウェイトｃ*0〜ｃ*Mに初期値を設定する。なお、当該初期値は、ステップＳ１０２以降において更新されることに留意すべきである。
【００７７】
ステップＳ１０３において、終了条件判定部１４０Ｃは、繰り返し回数のカウント値ｌに１を設定する。
【００７８】
ステップＳ１０４において、アンテナウェイト処理部１４０Ａは、アンテナウェイトｗ*1〜ｗ*Rを算出する。そして、アンテナウェイト処理部１４０Ａは、算出したアンテナウェイトｗ*1〜ｗ*Rを複素乗算器１１２１〜１１２Ｒに設定する。
【００７９】
ステップＳ１０５において、等化ウェイト処理部１４０Ｂは、等化ウェイトｃ*0〜ｃ*Mを算出する。等化ウェイト処理部１４０Ｂは、算出した等化ウェイトｃ*0〜ｃ*Mを複素乗算器１２２０〜１２２Ｍに設定する。
【００８０】
ステップＳ１０６において、終了条件判定部１４０Ｃは、繰り返し回数ｌが所要繰り返し回数ｌｍａｘに達したか否かを判定する。繰り返し回数ｌが所要繰り返し回数ｌｍａｘに達したと判定された場合、ウェイト算出処理が終了する。所要繰り返し回数ｌｍａｘは、例えば１０回程度とすることができる。
【００８１】
一方、繰り返し回数ｌが所要繰り返し回数ｌｍａｘに達していないと判定された場合、処理がステップＳ１０７に進む。ステップＳ１０７において、終了条件判定部１４０Ｃは、繰り返し回数ｌに１を加算する。その後、処理がステップＳ１０４に戻る。
【００８２】
（３．２）受信装置１０の動作パターン２
図４は、受信装置１０の動作パターン２を示すフローチャートである。
【００８３】
ステップＳ２０１における処理は、上述したステップＳ１０１と同様である。
【００８４】
ステップＳ２０２において、アンテナウェイト処理部１４０Ａは、アンテナウェイトｗ*1〜ｗ*Rに初期値を設定する。なお、当該初期値は、ステップＳ２０２以降において更新されることに留意すべきである。
【００８５】
ステップＳ２０３において、終了条件判定部１４０Ｃは、算出回数のカウント用の変数ｌに１を設定する。
【００８６】
ステップＳ２０４において、等化ウェイト処理部１４０Ｂは、等化ウェイトｃ*0〜ｃ*Mを算出する。等化ウェイト処理部１４０Ｂは、算出した等化ウェイトｃ*0〜ｃ*Mを複素乗算器１２２０〜１２２Ｍに設定する。
【００８７】
ステップＳ２０５において、アンテナウェイト処理部１４０Ａは、アンテナウェイトｗ*1〜ｗ*Rを算出する。そして、アンテナウェイト処理部１４０Ａは、算出したアンテナウェイトｗ*1〜ｗ*Rを複素乗算器１１２１〜１１２Ｒに設定する。
【００８８】
ステップＳ２０６において、終了条件判定部１４０Ｃは、繰り返し回数ｌが所要繰り返し回数ｌｍａｘに達したか否かを判定する。繰り返し回数ｌが所要繰り返し回数ｌｍａｘに達したと判定された場合、ウェイト算出処理が終了する。
【００８９】
一方、繰り返し回数ｌが所要繰り返し回数ｌｍａｘに達していないと判定された場合、処理がステップＳ２０７に進む。ステップＳ２０７において、終了条件判定部１４０Ｃは、繰り返し回数ｌに１を加算する。その後、処理がステップＳ２０４に戻る。
【００９０】
（４）ウェイト算出アルゴリズム
次に、アンテナウェイトｗ*1〜ｗ*R及び等化ウェイトｃ*0〜ｃ*Mの算出アルゴリズムについて説明する。
【００９１】
（４．１）アルゴリズム概要
図５に示すように、アンテナ重み付け部１１５に設定される各ウェイト値は、ｗ*rによって定義される（１≦ｒ≦Ｒ）。フィードフォワード部１２０Ａに設定される各ウェイト値は、ｃ*mによって定義される（０≦ｍ≦Ｍ）。アンテナ重み付け部１１５への入力信号は、ｘr[k]によって定義される。
【００９２】
図５では、アンテナウェイトｗ*1〜ｗ*R及び等化ウェイトｃ*0〜ｃ*Mの曖昧さを回避するために、等化ウェイトｃ*0〜ｃ*M中のウェイト値ｃ*Aが固定値Ｃ*Cに設定されている（０≦Ａ≦Ｍ）。あるいは、図６に示すように、アンテナウェイトｗ*1〜ｗ*R中のウェイト値ｗ*Bが固定値Ｃ*wに設定される（０≦Ｂ≦Ｍ）。
【００９３】
誤差信号ｅ［ｋ］は、以下に示すように、参照信号ｄ［ｋ］（あるいは、参照信号ｄ［ｋ］を遅延させたものｄ［ｋ−Ｄ］）から、フィードフォワード部１２０Ａの出力信号ｙ［ｋ］を減算することによって得られる（０≦Ｄ≦Ｍ）。
【００９４】
【数１】
2009135712.tif 000003
・・・（１）
上述したフィードバック部１２０Ｂに設定されるウェイト値は、ｇ*pによって定義される（０≦ｐ≦Ｐ）。また、フィードバック部１２０Ｂの伝達関数は、以下の式（２）で示される。
【００９５】
G(z) = g1z-1 + … + gPz-P      ・・・（２）
フィードバック部１２０Ｂへは、遅延素子１２４が遅延させた参照信号ｄ［ｋ］が入力される。フィードバック部１２０Ｂの出力信号は、フィードフォワード部１２０Ａの出力信号に加算される。
【００９６】
以下では、アンテナウェイト値ｗ*r及び等化ウェイト値ｃ*mだけでなく、ウェイト値ｇ*pもアンテナウェイト値ｗ*r及び等化ウェイト値ｃ*mとともに算出される。
【００９７】
誤差信号ｅ［ｋ］は、次の式（３）に示される。なお、以下において、（・）Ｈはエルミート転置を表し、＜・＞は予測演算子を表す。
【００９８】
【数２】
2009135712.tif 000004
・・・（３）
【００９９】
【数３】
2009135712.tif 000005
・・・（４）
【０１００】
【数４】
2009135712.tif 000006
・・・（５）
【０１０１】
【数５】
2009135712.tif 000007
・・・（６）
ここで、フィードフォワード部１２０Ａにおいて、ウェイト値ｃ*Aが固定値Ｃ*Cに設定されているとすると、ベクトルｂは、
【０１０２】
【数６】
2009135712.tif 000008
・・・（７）
となる。あるいは、テンソル積演算子を用いると、ベクトルｂは、
【０１０３】
【数７】
2009135712.tif 000009
・・・（８）
となる。ここで、
【数８】
2009135712.tif 000010
・・・（９）
である。
【０１０４】
一方、アンテナ重み付け部１１５において、ウェイト値ｗ*Bが固定値Ｃ*wに設定されているとすると、ベクトルｂは、
【０１０５】
【数９】
2009135712.tif 000011
・・・（１０）
となる。あるいは、テンソル積演算子を用いると、ベクトルｂは、
【０１０６】
【数１０】
2009135712.tif 000012
・・・（１１）
となる。ここで、
【０１０７】
【数１１】
2009135712.tif 000013
・・・（１２）
である。さらに、上記ｇは、次のように定義される。
【０１０８】
【数１２】
2009135712.tif 000014
・・・（１３）
次に、式（３）にＭＭＳＥ関数を適用すると、二乗誤差が、
【０１０９】
【数１３】
2009135712.tif 000015
・・・（１４）
となる。
【０１１０】
（４．２）アルゴリズムの詳細
以下においては、以下の４パターンに分けて、本アルゴリズムの詳細について説明する。
【０１１１】
パターン１：等化ウェイト値ｃ*A に固定値Ｃ*Cを設定した後、アンテナウェイトｗ*1〜ｗ*Rを初期化するパターン。
【０１１２】
パターン２：等化ウェイト値ｃ*A に固定値Ｃ*Cを設定した後、等化ウェイトｃ*0〜ｃ*Mを初期化するパターン。
【０１１３】
パターン３：アンテナウェイト値ｗ*Bに固定値Ｃ*Wを設定した後、アンテナウェイトｗ*1〜ｗ*Rを初期化するパターン。
【０１１４】
パターン４：アンテナウェイト値ｗ*Bに固定値Ｃ*Wを設定した後、等化ウェイトｃ*0〜ｃ*Mを初期化するパターン。
【０１１５】
（４．２．１）パターン１
パターン１におけるアルゴリズムを表１に示す。
【０１１６】
【表１】
2009135712.tif 000016
【０１１７】
アンテナウェイト値ｗ*r、具体的には、繰り返し回数ｌにおける共役複素ウェイトｗrは、以下のベクトルのようになる。
【０１１８】
【数１４】
2009135712.tif 000017
・・・（１５）
ｗｌの初期ベクトルは次のように定義される。
【０１１９】
【数１５】
2009135712.tif 000018
・・・（１６）
行列Ｗｌは、次のように定義される。
【０１２０】
【数１６】
2009135712.tif 000019
・・・あるいは、テンソル積演算子を用いて、Ｗｌは次のように定義できる。
【０１２１】
【数１７】
2009135712.tif 000020
・・・（１８）
また、
【０１２２】
【数１８】
2009135712.tif 000021
【０１２３】
・・・（１９）
であり、テンソル積演算子を用いると、
【０１２４】
【数１９】
2009135712.tif 000022
・・・（２０）
となる。さらに、
【０１２５】
【数２０】
2009135712.tif 000023
・・・（２１）
であり、
【０１２６】
【数２１】
2009135712.tif 000024
・・・である。あるいは、テンソル積演算子を用いると、
【０１２７】
【数２２】
2009135712.tif 000025
・・・（２３）
であり、ここで、
【０１２８】
【数２３】
2009135712.tif 000026
・・・（２４）
である。さらに、
【０１２９】
【数２４】
2009135712.tif 000027
・・・（２５）
である。
【０１３０】
更新されたウェイト値ｇ*p,l及びｇa*p,lは、繰り返し時に引き継がれる必要がない。よって、ウェイト値ｇ*pは、ウェイト値ｗ*rを算出する最後の繰り返し時にのみ算出すればよい。
【０１３１】
相関行列Ｒ及び相互相関ベクトルｐは、次のようになる。
【０１３２】
【数２５】
2009135712.tif 000028
・・・（２６）
本アルゴリズムでは、入力信号と参照信号とを用いて、相関行列及び相互相関ベクトルの相関値を算出する。
【０１３３】
初期値ｗ０は、適応速度に大きな影響を与える。初期値ｗ０の１つの例では、すべて同一の値が設定される。あるいは、Ｍ＝０及びｃ０＝１とすると、収束を早めることができる。この場合、初期値は、次のようにして算出できる。まず、
【０１３４】
【数２６】
2009135712.tif 000029
・・・（２７）
ここで、
【０１３５】
【数２７】
2009135712.tif 000030
・・・（２８）
である。スケーリングファクタを得るために、次の演算が必要なる。
【０１３６】
【数２８】
2009135712.tif 000031
・・・（２９）
【０１３７】
【数２９】
2009135712.tif 000032
・・・（３０）
初期値ｗ０のスケーリングファクタλは、
【０１３８】
【数３０】
2009135712.tif 000033
・・・（３１）
であり、よって、
【０１３９】
【数３１】
2009135712.tif 000034
・・・（３２）
となる。
【０１４０】
（４．２．２）パターン２
パターン２におけるアルゴリズムを表２に示す。
【０１４１】
【表２】
2009135712.tif 000035
【０１４２】
（４．２．３）パターン３
パターン３におけるアルゴリズムを表２に示す。
【０１４３】
【表３】
2009135712.tif 000036
【０１４４】
（４．２．４）パターン４
パターン４におけるアルゴリズムを表２に示す。
【０１４５】
【表４】
2009135712.tif 000037
【０１４６】
（５）作用及び効果
本実施形態によれば、ウェイト算出部１４０は、アンテナウェイトｗ*1〜ｗ*R及び等化ウェイトｃ*0〜ｃ*Mを一括して算出するのではなく、アンテナウェイトｗ*1〜ｗ*R及び等化ウェイトｃ*0〜ｃ*Mを交互に算出する。すなわち、等化ウェイトｃ*0〜ｃ*Mの算出時にはアンテナウェイトｗ*1〜ｗ*Rが変化せず、アンテナウェイトｗ*1〜ｗ*Rの算出時には等化ウェイトｃ*0〜ｃ*Mが変化しないようにすることができる。
【０１４７】
したがって、アダプティブアレイアンテナ１１０の出力に適応等化器１２０を直列接続する構成でも、最適化アルゴリズムを用いてアンテナウェイトｗ*1〜ｗ*R及び等化ウェイトｃ*0〜ｃ*Mを適切に算出することが可能な受信装置１０を提供することができる。
【０１４８】
本実施形態によれば、アンテナウェイト処理部１４０Ａは、所要繰り返し回数ｌｍａｘに達するまで、アンテナウェイトｗ*1〜ｗ*Rを繰り返し算出する。等化ウェイト処理部１４０Ｂは、所要繰り返し回数ｌｍａｘに達するまで等化ウェイトｃ*0〜ｃ*Mを繰り返し算出する。
【０１４９】
したがって、アンテナウェイトｗ*1〜ｗ*R及び等化ウェイトｃ*0〜ｃ*Mを精度良く算出できる。
【０１５０】
本実施形態によれば、（２．４）において説明した初期値設定処理により、アンテナウェイトｗ*1〜ｗ*R及び等化ウェイトｃ*0〜ｃ*Mの最適化に要する時間を短縮することができる。
【０１５１】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１５２】
上述した実施形態では、終了条件判定部１４０Ｃは、アンテナウェイトｗ*1〜ｗ*R及び等化ウェイトｃ*0〜ｃ*Mの繰り返し回数ｌが所要繰り返し回数ｌｍａｘに達した場合に、ウェイト算出処理を終了させていた。
【０１５３】
しかしながら、ウェイト算出処理の終了条件として、繰り返し回数以外の条件を使用しても良い。図７は、繰り返し回数以外の条件を終了条件とした場合の受信装置１０の動作を示すフローチャートである。
【０１５４】
図７に示すフローチャートにおいては、所要繰り返し回数ｌｍａｘが判定されない点において、図３及び図４に示したフローチャートとは異なっている。
【０１５５】
代わりに、ステップＳ３０５において、終了条件判定部１４０Ｃは、誤差信号ｅ［ｋ］に基づく平均二乗誤差が予め定められた閾値を下回ったか否か、又は誤差信号ｅ［ｋ］に基づく平均二乗誤差の低下量が所定量を下回ったか否かを判定する。
【０１５６】
すなわち、終了条件判定部１４０Ｃは、誤差信号ｅ［ｋ］に基づく平均二乗誤差が予め定められた閾値を下回った場合に、アンテナウェイト処理部１４０Ａによるアンテナウェイトｗ*1〜ｗ*Rの算出、及び等化ウェイト処理部１４０Ｂによる等化ウェイトｃ*0〜ｃ*Mの算出を停止させる。
【０１５７】
あるいは、終了条件判定部１４０Ｃは、誤差信号ｅ［ｋ］に基づく平均二乗誤差の低下量が所定量を下回った場合に、アンテナウェイト処理部１４０Ａによるアンテナウェイトｗ*1〜ｗ*Rの算出、及び等化ウェイト処理部１４０Ｂによる等化ウェイトｃ*0〜ｃ*Mの算出を停止させる。
【０１５８】
これにより、アンテナウェイトｗ*1〜ｗ*R及び等化ウェイトｃ*0〜ｃ*Mが収束した場合に直ちに繰り返し演算を停止させることができ、ウェイト算出部１４０の処理負荷を削減することができる。
【０１５９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１６０】
【図１】本発明の実施形態に係る無線基地局が適用される無線通信システムの概略構成図である。
【図２】本発明の実施形態に係る受信装置の機能ブロック構成図である。
【図３】本発明の実施形態に係る受信装置の動作パターン１を示すフローチャートである。
【図４】本発明の実施形態に係る受信装置の動作パターン２を示すフローチャートである。
【図５】本発明の実施形態に係る受信装置の一部構成図である。
【図６】本発明の実施形態に係る受信装置の一部構成図である。
【図７】その他の実施形態に係る受信装置の動作を示すフローチャートである。
【符号の説明】
【０１６１】
１０…受信装置、１００，３００…無線基地局、１１０…アダプティブアレイアンテナ、１１１…アレイアンテナ、１１３，１２５…加算器、１１５…アンテナ重み付け部、１２０…適応等化器、１２０Ａ…フィードフォワード部、１２０Ｂ…フィードバック部、１２４，１２６…遅延素子、１３０…減算器、１４０…ウェイト算出部、１４０Ａ…アンテナウェイト処理部、１４０Ｂ…等化ウェイト処理部、１４０Ｃ…終了条件判定部、２００，２１０…無線通信端末、１１２１〜１１２Ｒ，１２２０〜１２２Ｍ，１２６１〜１２６Ｐ…複素乗算器、１２１１〜１２１Ｍ，１２５１〜１２５Ｐ…遅延素子、１２３１〜１２３Ｍ，１２７１〜１２７Ｐ…加算器
【図１】
2009135712.tif 000038
【図２】
2009135712.tif 000039
【図３】
2009135712.tif 000040
【図４】
2009135712.tif 000041
【図５】
2009135712.tif 000042
【図６】
2009135712.tif 000043
【図７】
2009135712.tif 000044